(57)【要約】      （修正有）【課題】容易に着脱することができるとともに、取付状態を安定させることの可能な椅子用座面シート及びこれを備えた椅子を提供する。【解決手段】椅子用座面シート１０は、座面として形成された表面を有するシート本体１１と、シート本体１１の幅方向両端部を幅方向中央部に向かってシート本体１１の裏面１１ｂ側に折り返すことによって、椅子の被取付部４３，５３が挿通可能となるようにシート本体１１の裏面１１ｂに囲まれた空間を形成した状態で、幅方向両端部の裏面１１ｂ側に位置する第１の結合部１２と、第１の結合部１２と対向するように位置するシート本体１１の裏面１１ｂ側の第２の結合部１３とを着脱可能に結合する結合手段と、シート本体１１の幅方向両端部を連結する補強ベルト１４と、を備える。【選択図】図４
0003185845.tif 000002
【実用新案登録請求の範囲】
【請求項１】
座面として形成された表面を有するシート本体と、
前記シート本体の幅方向両端部を幅方向中央部に向かって前記シート本体の裏面側に折り返すことによって、椅子の被取付部が挿通可能となるように前記シート本体の裏面に囲まれた空間を形成した状態で、前記幅方向両端部の裏面側に位置する第１の結合部と、前記第１の結合部と対向するように位置する前記シート本体の裏面側の第２の結合部とを着脱可能に結合する結合手段と、
前記シート本体の幅方向両端部を連結する補強部材と、を備える、
ことを特徴とする椅子用座面シート。
【請求項２】
前記補強部材は、前記第１の結合部と前記第２の結合部とが結合している状態で、前記シート本体の幅方向両端部を連結する、
ことを特徴とする請求項１に記載の椅子用座面シート。
【請求項３】
前記補強部材は、前記シート本体の幅方向に沿って延びる帯状に形成されている、
ことを特徴とする請求項１または２に記載の椅子用座面シート。
【請求項４】
前記補強部材は、２つ設けられている、
ことを特徴とする請求項３に記載の椅子用座面シート。
【請求項５】
前記補強部材は、前記シート本体の裏面において前記幅方向に垂直な方向を前記シート本体の長さ方向としたときに、前記長さ方向の中央部よりも前記長さ方向の端部寄りの位置に設けられている、ことを特徴とする請求項１〜４のいずれか一項に記載の椅子用座面シート。
【請求項６】
前記第１の結合部及び前記第２の結合部は、前記シート本体の裏面において前記幅方向に垂直な方向を前記シート本体の長さ方向としたときに、前記長さ方向に沿って連続的に設けられている、ことを特徴とする請求項１〜５のいずれか一項に記載の椅子用座面シート。
【請求項７】
前記第１の結合部及び前記第２の結合部の幅は、前記シート本体の座面幅の１０％以上３０％以下である、ことを特徴とする請求項６に記載の椅子用座面シート。
【請求項８】
前記結合手段は、一対の面ファスナーである、ことを特徴とする請求項１〜７のいずれか一項に記載の椅子用座面シート。
【請求項９】
請求項１〜８のいずれか一項に記載の椅子用座面シートを備えた椅子。
【請求項１０】
背凭れ支持部材と、
前記背凭れ支持部材に対して着脱可能に取り付けられる背凭れと、を備える、
請求項９に記載の椅子。
【請求項１１】
肘掛部と、
前記肘掛部に対して着脱可能に取り付けられる弾性部材と、を備える、
ことを特徴とする請求項９または１０に記載の椅子。
【考案の詳細な説明】
【技術分野】
【０００１】
本考案は、椅子用座面シート及びこれを備えた椅子に関するものである。
【背景技術】
【０００２】
従来の椅子は、座部が脚部等に固定されていたため、例えば座部が汚れたり、摩耗によって劣化したりした場合や、座部のデザインを変更したい場合等であっても、座部のみを交換することができなかった。
【０００３】
そこで、座部を交換可能な椅子が知られている（特許文献１）。この椅子は、布製の座面シートを左右一対の側枠脚部に着脱可能に構成されている。具体的には、座面シートの両端に設けられた面ファスナーの各々を、左右一対の側枠脚部の各々に設けられた面ファスナーに接合させることにより、座面シートを左右一対の側枠脚部に着脱することができるようになっている。
【先行技術文献】
【特許文献】
【０００４】
【特許文献１】特開２００３−２９９５４６号公報
【考案の概要】
【考案が解決しようとする課題】
【０００５】
特許文献１における椅子では、座面シートの面ファスナーと側枠脚部の面ファスナーとの接合のみによって、座面シートが左右一対の側枠脚部間に張設されている。しかしながら、利用者が椅子に座ったときに座面シートにかかる荷重の大きさによっては、座面シートと側枠脚部との接合が解かれることによって、座面シートが外れてしまうおそれがあった。
【０００６】
本考案は、このような実状に鑑みてなされたものであり、容易に着脱することができるとともに、取付状態を安定させることの可能な椅子用座面カバー及びこれを備えた椅子を提供することを目的とする。
【課題を解決するための手段】
【０００７】
上記目的を達成するために、第１に本考案は、座面として形成された表面を有するシート本体と、前記シート本体の幅方向両端部を幅方向中央部に向かって前記シート本体の裏面側に折り返すことによって、椅子の被取付部が挿通可能となるように前記シート本体の裏面に囲まれた空間を形成した状態で、前記幅方向両端部の裏面側に位置する第１の結合部と、前記第１の結合部と対向するように位置する前記シート本体の裏面側の第２の結合部とを着脱可能に結合する結合手段と、前記シート本体の幅方向両端部を連結する補強部材と、を備える、ことを特徴とする椅子用座面シートを提供する（考案１）。
【０００８】
上記考案（考案１）に係る椅子用座面シートでは、椅子の被取付部をシート本体の裏面で囲んだ状態で第１の結合部と第２の結合部とを結合し、シート本体の幅方向両端部を補強部材で連結させることにより、椅子用座面シートを椅子に取付けることができる。また、例えば利用者が椅子に座ったときに第１の結合部と第２の結合部との結合が解かれた場合であっても、シート本体の幅方向両端部が補強部材によって連結されているので、椅子用座面シートが被取付部から外れるのを抑制することができる。これにより、本考案に係る椅子用座面シートによれば、容易に着脱することができるとともに、取付状態を安定させることができる。
【０００９】
上記考案（考案１）において、前記補強部材は、前記第１の結合部と前記第２の結合部とが結合している状態で、前記シート本体の幅方向両端部を連結することが好ましい（考案２）。
【００１０】
上記考案（考案１〜２）において、前記補強部材は、前記シート本体の幅方向に沿って延びる帯状に形成されていることが好ましい（考案３）。
【００１１】
上記考案（考案３）において、前記補強部材は、２つ設けられていることが好ましい（考案４）。
【００１２】
上記考案（考案１〜４）において、前記補強部材は、前記シート本体の裏面において前記幅方向に垂直な方向を前記シート本体の長さ方向としたときに、前記長さ方向の中央部よりも前記長さ方向の端部寄りの位置に設けられていることが好ましい（考案５）。
【００１３】
上記考案（考案１〜５）において、前記第１の結合部及び前記第２の結合部は、前記シート本体の裏面において前記幅方向に垂直な方向を前記シート本体の長さ方向としたときに、前記長さ方向に沿って連続的に設けられていることが好ましい（考案６）。
【００１４】
上記考案（考案６）において、前記第１の結合部及び前記第２の結合部の幅は、前記シート本体の座面幅の１０％以上３０％以下であることが好ましい（考案７）。
【００１５】
上記考案（考案１〜７）において、前記結合手段は、一対の面ファスナーであることが好ましい（考案８）。
【００１６】
第２に本考案は、椅子用座面シート（考案１〜８）を備えた椅子を提供する（考案９）。
【００１７】
上記考案（考案９）に係る椅子では、被取付部をシート本体の裏面で囲んだ状態で第１の結合部と第２の結合部とを結合し、シート本体の幅方向両端部を補強部材で連結させることにより、椅子用座面シートを取付けることができる。また、例えば利用者が椅子に座ったときに第１の結合部と第２の結合部との結合が解かれた場合であっても、シート本体の幅方向両端部が補強部材によって連結されているので、座面シートが被取付部から外れるのを抑制することができる。これにより、本考案に係る椅子によれば、椅子用座面シートを容易に着脱することができるとともに、椅子用座面シートの取付状態を安定させることができる。
【００１８】
上記考案（考案９）において、背凭れ支持部材と、前記背凭れ支持部材に対して着脱可能に取り付けられる背凭れと、を備える、ことが好ましい（考案１０）。
【００１９】
上記考案（考案９〜１０）において、肘掛部と、前記肘掛部に対して着脱可能に取り付けられる弾性部材と、を備える、ことが好ましい（考案１１）。
【考案の効果】
【００２０】
本考案に係る椅子用座面シートは、容易に着脱することができるとともに、取付状態を安定させることができるという優れた効果を有する。また、本考案に係る椅子は、椅子用座面シートを容易に着脱することができるとともに、椅子用座面シートの取付状態を安定させることができるという優れた効果を有する。
【図面の簡単な説明】
【００２１】
【図１】本考案の一実施形態に係る椅子の概略構成図である。
【図２】本考案の一実施形態に係る椅子用座面シートの表面を示す平面図である。
【図３】本考案の一実施形態に係る椅子用座面シートの裏面を示す底面図である。
【図４】椅子用座面シートの取付状態を示す要部を拡大した一部断面図である。
【考案を実施するための形態】
【００２２】
以下、本考案の実施形態について説明する。
なお、本実施形態において、左右、前後、上下は、椅子に座った利用者から見た方向をいう。また、正面から見るとは、椅子に座った利用者に対面する方向から見ることをいう。
【００２３】
図１は、本考案の一実施形態に係る椅子の概略構成図である。本実施形態に係る椅子は、座部を構成する椅子用座面シート（以下、座面シートという）１０と、右脚部材２０と、左脚部材３０と、第１の座面支持部材４０と、第２の座面支持部材５０と、背凭れ部６０とを備えている。本実施形態に係る椅子は、右脚部材２０と左脚部材３０との間隔を狭めるようにして折り畳むことができるように構成されている。
【００２４】
まず、座面シート１０の構成について図２及び図３を参照して説明する。図２は、座面シートの表面を示す平面図であり、図３は、座面シートの裏面を示す底面図である。図２及び図３に示すように、座面シート１０は、シート本体１１と、第１の結合部１２と、第２の結合部１３と、補強ベルト１４と、一対のベルト留め具１５，１６と、留め具保持部１７とを備えている。
【００２５】
シート本体１１は、可撓性を有する長方形状のシートを複数枚（本実施形態では２枚）積層することによって構成されており、その表面１１ａが座面として形成されている。シート本体１１を構成するシートの材料は特に限定されるものではないが、例えば、ナイロン、ポリエステル等の合成繊維が挙げられる。なお、表面１１ａ側のシートと裏面１１ｂ側のシートとの間には、座り心地を高めるために、例えばスポンジ等の弾性部材からなるシートが設けられてもよい。また、シート本体１１は、１枚のシートから構成されてもよい。
【００２６】
第１の結合部１２及び第２の結合部１３は、結合手段によって着脱可能に結合するように形成されており、シート本体１１の幅方向（図中Ｘ方向）両端部の裏面１１ｂ側に設けられている。図３に示すように、第２の結合部１３は、第１の結合部１２よりも幅方向中央部側に設けられている。第２の結合部１３は、シート本体１１の幅方向両端部を幅方向中央部に向かって裏面１１ｂ側に折り返したときに、椅子の被取付部（本実施形態では、後述する水平部４３，５３）が挿通可能となるように裏面１１ｂに囲まれた空間を形成した状態で第１の結合部１２と対向するように位置している。また、第１の結合部１２及び第２の結合部１３は、互いに対向する状態で着脱可能に結合する。
【００２７】
ここで、本実施形態では、一対の面ファスナーを結合手段として用いている。すなわち、第１の結合部１２及び第２の結合部１３は、面ファスナーで構成されている。この場合、第１の結合部１２と第２の結合部１３とを合わせることによって両者を結合することができ、第１の結合部１２と第２の結合部１３とを引き離すことによって両者の結合を解くことができるので、後述するように座面シート１０を容易に着脱することができる。なお、椅子が長期間利用されること等によって座面シート１０の幅方向中央部（つまり、椅子の座面部分）が延びてしまった場合には、座面シート１０の幅方向中央部が下方に弛んだ状態で座面シート１０が張設されることになるため、椅子の見栄えが悪くなるおそれがある。一方、本実施形態では、一対の面ファスナーを結合手段として用いているので、面ファスナーが設けられている範囲内において、第１の結合部１２と第２の結合部１３との結合位置を、座面シート１０の幅方向に沿って調節することが可能となる。このため、座面シート１０を幅方向に引っ張った状態で椅子に張設することができ、椅子の見栄えを向上させることができる。
【００２８】
なお、結合手段としては、第１の結合部１２及び第２の結合部１３を着脱可能に結合できるのであれば如何なるものであってもよい。例えば、金属ファスナー、粘着テープ、スナップボタン等を結合手段として用いてもよい。
【００２９】
また、第１の結合部１２及び第２の結合部１３は、シート本体１１の幅方向に垂直な方向（図中Ｙ方向）を長さ方向としたときに、長さ方向に沿って連続的に設けられていることが好ましい。この場合、第１の結合部１２及び第２の結合部１３の面積を大きく形成することができるので、第１の結合部１２及び第２の結合部１３の結合力を高めることができる。
【００３０】
さらに、第１の結合部１２及び第２の結合部１３は、互いに対向する表面全面が結合していることが好ましい。この場合、第１の結合部１２及び第２の結合部１３の結合部分の面積を大きく形成することができるので、第１の結合部１２及び第２の結合部１３の結合力を高めることができる。
【００３１】
なお、第１の結合部１２及び第２の結合部１３の幅Ｗ（図３に示す）が適正であるほど、第１の結合部１２及び第２の結合部１３の結合及び取り外しを容易に行うことができる。そこで、第１の結合部１２及び第２の結合部１３の幅Ｗは、例えばシート本体１１の座面幅の１０％以上３０％以下であることが好ましく、特に１０％以上２５％以下であることが好ましい。ここで、シート本体１１の座面幅とは、座面シート１０が取り付けられた椅子を上方から見たときの座面シート１０の幅Ｗ１（図４に示す）をいう。
【００３２】
補強ベルト１４は、シート本体１１の幅方向両端部を連結する部材であり、シート本体１１の幅方向一端側に設けられている。なお、補強ベルト１４は、本発明における補強部材の一例である。補強ベルト１４の材料は特に限定されるものではないが、例えば、ナイロン、ポリエステル等の合成繊維が挙げられる。補強ベルト１４は、シート本体１１の幅方向他端側に設けられた一対のベルト留め具１５，１６に着脱可能に留められることによって、シート本体１１の幅方向両端部を連結するようになっている。
【００３３】
ここで、例えばシート本体１１の幅方向両端部を幅方向中央部に向かってシート本体１１の裏面１１ｂ側に折り返した場合、幅方向両端部は、シート本体１１の幅方向に沿って対向することになる。そこで、補強ベルト１４は、シート本体１１の幅方向に沿って延びる帯状に形成されていることが好ましい。この場合、シート本体１１の幅方向両端部を容易に連結することが可能となる。
【００３４】
また、補強ベルト１４は、第１の結合部１２と第２の結合部１３とが結合している状態で、シート本体１１の幅方向両端部を連結することが好ましい。この場合、座面シート１０を、第１の結合部１２及び第２の結合部１３が互いに結合し、且つ、シート本体１１の幅方向両端部が補強ベルト１４によって連結された状態で椅子に取付けることが可能になることから、座面シート１０の取付状態をさらに安定させることができる。
【００３５】
また、補強ベルト１４の数は、一つであってもよいし複数であってもよい。補強ベルト１４を複数設ける場合には、補強ベルト１４は２つ設けられていることが好ましい。この場合、補強ベルト１４は、シート本体１１の裏面１１ｂにおいて幅方向に垂直な方向（図中Ｙ方向）をシート本体１１の長さ方向としたときに、当該長さ方向に間隔をおいて設けられ得る。これにより、例えば連結強度が同じ補強ベルトが一つだけ設けられている場合と比べて、シート本体１１の幅方向両端部間の連結強度を向上させることができる。
【００３６】
なお、補強ベルト１４が、例えばシート本体１１の長さ方向中央部近傍において幅方向に延びるように設けられている場合には、利用者が椅子に座ったときに当該利用者の臀部が補強ベルト１４に当たることによって、座り心地が悪くなるおそれがある。そこで、補強ベルト１４は、シート本体１１の長さ方向の中央部よりも長さ方向の端部寄りの位置に設けられていることが好ましい。この場合、利用者の臀部が補強ベルト１４に当たることを抑制することができ、ひいては座り心地が悪くなることを低減することができる。
【００３７】
一方、補強ベルト１４が、例えばシート本体１１の長さ方向両端部に設けられている場合には、当該補強ベルト１４が利用者に視認され易くなることから、椅子の見栄えが悪くなるおそれがある。そこで、補強ベルト１４は、シート本体１１の長さ方向の端部から当該長さ方向の中央部に向かって距離Ｄ（図３に示す）だけ離れた位置に設けられていることが好ましい。また、距離Ｄは、シート本体１１の長さＤ１（図３に示す）の１０％以上３０％以下の範囲内であることが好ましく、特に１０％以上２５％以下の範囲内であることが好ましい。この場合、座り心地が悪くなくことを低減することに加えて、椅子の見栄えが悪くなることを抑制することができる。
【００３８】
一対のベルト留め具１５，１６は、補強ベルト１４を留めるための部材であり、例えばリング状に形成された金具等で構成されている。一対のベルト留め具１５，１６は、シート本体１１の幅方向他端側に設けられており、シート本体１１の長さ方向において補強ベルト１４とほぼ同じ位置に配置されている。また、留め具保持部１７は、一対のベルト留め具１５，１６を、シート本体１１の幅方向に沿うように回動可能に保持するようになっている。なお、本実施形態では、補強ベルト１４を留めるための部材として一対のベルト留め具１５，１６を、設けた場合を一例として説明したが、この場合に限られない。例えば、補強ベルト１４を留めるためのバックルやクリップ等を、一対のベルト留め具１５，１６の代わりに設けてもよい。
【００３９】
次に、本実施形態の椅子を構成する他の部材について説明する。
右脚部材２０は、例えばＵ字形の金属製パイプで構成されており、前脚部２１と後脚部２２と肘掛部２３とを備えている。前脚部２１の下端付近と後脚部２２の下端付近の間には連結パイプ２４が設けられている。肘掛部２３には、例えば合成樹脂製の弾性部材２５が巻き付けられている。なお、弾性部材２５は、肘掛部２３に対して着脱可能に取り付けられるように構成されてもよい。この構成によれば、例えば摩耗によって弾性部材２５が劣化した場合や、弾性部材２５のデザインを変更する場合等であっても、弾性部材２５を容易に交換することができる。例えば、弾性部材２５には、一対の面ファスナーが設けられてもよい。この場合、弾性部材２５を肘掛部２３に巻き付けたときに一対のファスナーが結合することによって、弾性部材２５を肘掛部２３に着脱可能に取り付けるようにしてもよい。
【００４０】
左脚部材３０は、上述の右脚部材２０と基本的に同じ構成であり、前脚部３１と後脚部３２と肘掛部３３とを備えている。前脚部３１の下端付近と後脚部３２の下端付近の間には連結パイプ３４が設けられている。肘掛部３３には、例えば合成樹脂製の弾性部材３５が巻き付けられている。ここで、弾性部材３５は、上述した弾性部材２５と同様に、肘掛部３３に対して着脱可能に取り付けられるように構成されてもよい。
【００４１】
第１の座面支持部材４０は、例えばＵ字形の金属製パイプで構成されており、第１の前方交差部４１と第１の後方交差部４２と第１の水平部４３とを備えている。第２の座面支持部材５０は、第１の座面支持部材４０と同じ構成であり、第２の前方交差部５１と第２の後方交差部５２と第２の水平部５３とを備えている。
【００４２】
第１の座面支持部材４０は、以下のように設けられている。まず、第１の前方交差部４１は、その基端部がピン（図示省略）によって左脚部材３０の前脚部３１の下端付近後面側に回動可能に連結されている。また、第１の前方交差部４１は、リンク部７０を介して右脚部材２０の前脚部２１に回動可能に連結されている。第１の後方交差部４２は、その基端部がピン（図示省略）によって左脚部材３０の後脚部３２の下端付近後面側に回動可能に連結されている。また、第１の後方交差部４２は、リンク部７１を介して右脚部材２０の後脚部２２に回動可能に連結されている。
【００４３】
第２の座面支持部材５０は、以下のように設けられている。まず、第２の前方交差部５１は、その基端部がピン（図示省略）によって右脚部材２０の前脚部２１の下端付近前面側に回動可能に連結されている。また、第２の前方交差部５１は、リンク部７２を介して左脚部材３０の前脚部３１に回動可能に連結されている。第２の後方交差部５２は、その基端部がピン（図示省略）によって右脚部材２０の後脚部２２の下端付近前面側に回動可能に連結されている。また、第２の後方交差部５２は、リンク部（図示省略）を介して左脚部材３０の後脚部３２に回動可能に連結されている。
【００４４】
第１の前方交差部４１と第２の前方交差部５１とは、正面から見てＸ字形に交差しており、ピン７３によって相互に回動可能に連結されている。また、第１の後方交差部４２と第２の後方交差部５２とは、Ｘ字形に交差しており、ピン（図示省略）によって相互に回動可能に連結されている。
【００４５】
第１の座面支持部材の４０の第１の水平部４３と、第２の座面支持部材５０の第２の水平部４３との間には、上述した座面シート１０が張設されている。
【００４６】
背凭れ部６０は、右側支持部材６１と左側支持部材６２と背凭れ６３とを備えている。右側支持部材６１は、例えば直線状の金属製パイプで構成されており、右脚部材２０の後脚部２２の右側面に回動可能に取り付けられている。左側支持部材６２は、例えば直線状の金属製パイプで構成されており、左脚部材３０の後脚部３２の左側面に回動可能に取り付けられている。右側支持部材６１と左側支持部材６２との間には、背凭れ６３が張設されている。背凭れ６３の材料は特に限定されるものではないが、例えば、ナイロン、ポリエステル等の合成繊維が挙げられる。
【００４７】
なお、背凭れ６３は、右側支持部材６１及び左側支持部材６２の各々に対して着脱可能に取り付けられるように構成されてもよい。この構成によれば、例えば摩耗によって背凭れ６３が劣化した場合や、背凭れ６３のデザインを変更する場合等であっても、背凭れ６３を容易に交換することができる。例えば、背凭れ６３の幅方向両端部（左右両側）の各々には、一対の面ファスナーが設けられてもよい。この場合、背凭れ６３を右側支持部材６１及び左側支持部材６２に当接させた状態で、幅方向両端部の各々の一対の面ファスナーが結合することによって、背凭れ６３を、右側支持部材６１及び左側支持部材６２に着脱可能に取り付けるようにしてもよい。
【００４８】
本実施形態では、右脚部材２０、連結パイプ２４、左脚部材３０、連結パイプ３４、第１の座面支持部材４０、第２の座面支持部材５０及び背凭れ部６０（右側支持部材６１、左側支持部材６２）が金属製パイプで構成されている場合を一例として説明したが、この場合に限られない。右脚部材２０、連結パイプ２４、左脚部材３０、連結パイプ３４、第１の座面支持部材４０、第２の座面支持部材５０及び背凭れ部６０（右側支持部材６１、左側支持部材６２）は、金属製パイプの代わりに、例えば木材、カーボンパイプまたはグラスファイバー等で構成されてもよい。
【００４９】
以上のように構成された椅子に対する座面シート１０の取付例を、図４を参照して説明する。図４は、椅子用座面シートの取付状態を示す要部を拡大した一部断面図である。
【００５０】
図４に示す例では、まず、椅子の被取付部（本実施形態では水平部４３，５３）の上面に座面シート１０を配置した状態で、シート本体１１の幅方向両端部を幅方向中央部に向かって裏面１１ｂ側に折り返す。このとき、椅子の被取付部はシート本体１１によって巻きつけられる。また、第１の結合部１２は、対向する第２の結合部１３と結合する。
【００５１】
次に、補強ベルト１４をシート本体１１の幅方向他端側に延ばして、当該補強ベルト１４をシート本体１１の幅方向一端側から他端側に向かって一対のベルト留め具１５，１６に挿通させる。ここでは、ベルト留め具１５、ベルト留め具１６の順に挿通させたこととする。そして、補強ベルト１４を反挿通方向に折り返して、当該補強ベルト１４をシート本体１１の幅方向他端側から一端側に向かってベルト留め具１５に挿通させる。
【００５２】
このようにして、座面シート１０が椅子に取付けられる。ここで、例えば利用者が椅子に座ったときに第１の結合部１２と第２の結合部１３との結合が解かれた場合であっても、シート本体１１の幅方向両端部が補強ベルト１４によって連結されているので、座面シート１０が被取付部（水平部４３，５３）から外れるのを抑制することができる。これにより、本実施形態に係る座面シート１０によれば、容易に着脱することができるとともに、取付状態を安定させることができる。
【００５３】
なお、座面シート１０を椅子から取り外す場合には、まず、補強ベルト１４を一対のベルト留め具１５，１６から取り外し、次いで、第１の結合部１２と第２の結合部１３との結合を解けばよい。
【００５４】
以上説明した実施形態は、本考案の理解を容易にするために記載されたものであって、本考案を限定するために記載されたものではない。したがって、上記実施形態に開示された各要素は、本考案の技術的範囲に属する全ての設計変更や均等物をも含む趣旨である。
【００５５】
上記実施形態では、補強ベルト１４を補強部材として用いた場合を一例として説明したが、補強部材はこの場合に限られない。例えば、アルミニウム等の金属製のフレーム等を補強部材として用いてもよい。また、利用者が椅子に座った場合にシート本体１１の幅方向両端部の連結が解かれない程度の連結強度を有するのであれば、例えば紙、布、ビニール、革、金属あるいは植物繊維からなる所定太さの紐等を補強部材として用いてもよい。
【００５６】
上記実施形態では、第１の結合部１２及び第２の結合部１３がシート本体１１の長さ方向に連続的に設けられている場合を一例として説明したが、この場合に限られない。例えば、第１の結合部１２及び第２の結合部１３はシート本体１１の長さ方向に断続的に設けられていてもよい。
【００５７】
上記実施形態では、椅子が折り畳み可能である場合を一例として説明したが、この場合に限られない。例えば、座面シートを交換可能に構成されている椅子であれば、折り畳み不可の椅子が用いられてもよい。
【産業上の利用可能性】
【００５８】
本考案に係る椅子用座面シートは、容易に着脱することができるとともに、取付状態を安定させることの可能な椅子用座面シートとして好適に用いられる。
また、本考案に係る椅子は、椅子用座面シートを容易に着脱することができるとともに、椅子用座面シートの取付状態を安定させることができる椅子として好適に用いられる。
【符号の説明】
【００５９】
１０…椅子用座面シート
１１…シート本体
１１ａ…表面
１１ｂ…裏面
１２…第１の結合部
１３…第２の結合部
１４…補強ベルト
４３，５３…水平部
２５，３５…弾性部材
６３…背凭れ
【図１】
0003185845.tif 000003
【図２】
0003185845.tif 000004
【図３】
0003185845.tif 000005
【図４】
0003185845.tif 000006